(57)【要約】【課題】互いに連結される二枚の壁パネルを、その接続端において互いに寄せ合う力が作用するような壁パネルの接続構造とすることで、壁モールを不要とし、止水性や連結強度の向上を図るとともに、意匠性を向上する。【解決手段】第１の壁パネル５と第２の壁パネル６に渡って連結材１１が背面側から嵌合し、壁パネル５、６同士を連結する浴室用の壁パネルの接続構造において、連結材１１は、浴室内外方向に重ねて設けられた外側連結材２２と内側連結材３１から構成されており、外側連結材３１の両側部２７には突起部２３が設けられ、内側連結材３１の両側部３８には浴室内側に向かうほど下方に向かう斜め溝部が設けられ、溝部の端部側に細溝部を備え、細溝部に突起部２３が嵌合することで、内側連結材３１の内側端部に形成された壁パネル当接部４６が、壁パネル５、６に当接し壁パネル同士５、６を連結する。【選択図】図７
2019078117.tif 000002
【特許請求の範囲】
【請求項１】
二枚の壁パネルに渡って連結材が壁パネルの背面に嵌合し、壁パネル同士を連結する浴室用の壁パネルの接続構造であって、連結材は二つの連結材から構成され、二つの連結材は浴室内外方向に重ねて設けられており、内側連結材には溝部と拡張部が設けられ、外側連結材は略コの字状であって、突起部と、両端部に拡張部を押圧する押圧部を備えており、溝部に突起部が嵌合し押圧部が拡張部を押圧して壁パネル同士が連結される構成とされていることを特徴とする浴室用の壁パネルの接続構造。
【請求項２】
請求項１に記載の浴室用の壁パネルの接続構造であって、溝部は端部に細溝部を備えており、細溝部に突起部が嵌合するように構成されており、溝部と突起部は各連結材の両側面にそれぞれ設けられており、溝部は浴室内側に向かうほど下方に向かう斜め溝部とされていることを特徴とする浴室用の壁パネルの接続構造。
【請求項３】
請求項１または２に記載の浴室用の壁パネルの接続構造であって、内側連結材は内側端部に壁パネルと当接する壁当接部を備えていることを特徴とする浴室用の壁パネルの接続構造。
【発明の詳細な説明】
【技術分野】
【０００１】
本発明は、浴室用の壁パネルの接続構造に関するものである。
【背景技術】
【０００２】
従来、互いに接続すべき二枚の接続壁にそれぞれ突起を設け、二枚の接続壁を接続する連結材にそれぞれ設けられた孔に、二枚の接続壁にそれぞれ設けられた突起を嵌合させて連結する構造が知られている（特許文献１、２参照）。
【０００３】
同様の構造の従来のパネルの接続構造を図８および図９において説明する。このパネルの接続構造は、図８（ａ）、（ｂ）に示すように、左右隣接された状態で配置された二枚の壁パネル５０、５１が、連結材５２（図９（ｂ）参照）によって連結される構成である。
【０００４】
二枚の壁パネル５０、５１は、それぞれその接続端に、図８（ａ）、（ｂ）、図９（ｃ）に示すように縦桟５６が設けられており、この縦桟５６には、図９（ａ）に示すように、一部に太幅部５７と細幅部５８を有するスリット５９が形成されている。
【０００５】
二枚の壁パネル５０、５１を連結する連結材５２には、二枚の壁パネル５０、５１のそれぞれのスリット５９に対応して大径部６３を有する突起６４が設けられている。連結材５２の突起６４を、縦桟５６のスリット５９の太幅部５７から挿入し、細幅部５８に位置するように連結材５２を下方に移動することで、二枚の壁パネル５０、５１を壁モール６５を挟むようにして連結材５２で連結することができる。
【先行技術文献】
【特許文献】
【０００６】
【特許文献１】実開昭６３−１４６００８号公報
【特許文献２】特許第３１３９３５５号公報
【発明の概要】
【発明が解決しようとする課題】
【０００７】
浴室の壁パネル連結部では、外部への水の流出防止や組み立てのバラツキを吸収する（隠す）ために、一般的には壁モールを挿入している。しかしながら、意匠性の向上という観点からすると、壁モールを設けない方が好ましい。
【０００８】
また、止水性および意匠性の観点からすると、連結される壁パネル同士が互いに寄せ合う力が作用する構造とし、両者の隙間をなるべく小さくし、さらに組み付け強度を向上する構成とすることが好ましい。
【０００９】
図８、図９等に示された従来の接続構造では、互いに連結される二枚の壁パネル５０、５１が互いに寄せ合う力が作用するような構造ではないので、止水性を確保するために、二枚の壁パネル５０、５１の間に壁モール６５を配置しなくてはならず、意匠性の観点から好ましくない、また部品点数が増え構造が複雑となる。
【００１０】
本発明は上記従来の問題を解決することを目的とするものであり、互いに連結される二枚の壁パネルを、その接続端において互いに寄せ合う力が作用するような壁パネルの接続構造とすることで、壁モールなしでも止水性をおよび意匠性を向上させるとともに、組み付け強度の向上を図ることを課題とする。
【課題を解決するための手段】
【００１１】
本発明は上記課題を解決するために、二枚の壁パネルに渡って連結材が壁パネルの背面に嵌合し、壁パネル同士を連結する浴室用の壁パネルの接続構造であって、連結材は二つの連結材から構成され、二つの連結材は浴室内外方向に重ねて設けられており、内側連結材には溝部と拡張部が設けられ、外側連結材は略コの字状であって、突起部と、両端部に拡張部を押圧する押圧部を備えており、溝部に突起部が嵌合し押圧部が拡張部を押圧して壁パネル同士が連結される構成とされていることを特徴とする浴室用の壁パネルの接続構造を提供する。
【００１２】
溝部は端部に細溝部を備えており、細溝部に突起部が嵌合するように構成されており、溝部と突起部は各連結材の両側面にそれぞれ設けられており、溝部は浴室内側に向かうほど下方に向かう斜め溝部とされていることが好ましい。
【００１３】
内側連結材は内側端部に壁パネルと当接する壁当接部を備えていることが好ましい。
【発明の効果】
【００１４】
本発明によると、一方の連結材の側部に設けられた突起部を、もう一方の連結材の側部に形成されている溝部の閉端部側の細溝部に嵌合して二枚の壁パネルを連結する二つの連結材において、溝部は浴室内側に向かうほど下方に向かう斜め溝部に形成されていることで、壁パネル同士を寄せて連結することができ、壁モールが不要となる。
【図面の簡単な説明】
【００１５】
【図１】本発明に係る浴室用の壁パネルの接続構造によって組み立てられた浴室ユニットの壁パネルの構成を示す斜視図である。
【図２】本発明に係る浴室用の壁パネルの接続構造によって連結される二枚の壁パネルを左右に配置した状態を示す図であり、（ａ）は背面側から見た図であり、（ｂ）は平面図である。
【図３】本発明に係る浴室用の壁パネルの接続構造の実施例において、外側連結材を説明する図であり、（ａ）は平面図であり、（ｂ）正面側から見た図であり、（ｃ）は背面側から見た図であり、（ｄ）は突起部を示す図である。
【図４】上記実施例において、内側連結材を示す図であり、（ａ）は正面側斜めから見た斜視図であり、（ｂ）背面側斜めから見た斜視図であり、（ｃ）は水平断面図である。
【図５】上記実施例において、内側連結材について外側連結材（２点鎖線で示す）との関係的構成を説明する図であり、（ａ）は溝部上端における水平断面図であり、（ｂ）は（ａ）のＢ−Ｂ断面図であり、（ｃ）は溝部下部における水平断面図であり、（ｄ）は（ｃ）のＣ−Ｃ断面図である。
【図６】上記実施例において、外側連結材を内側連結材に嵌合し左右の壁パネルを連結する作業手順を説明する斜視図であり、（ａ）は外側連結材を内側連結材に背面側から近づけている状態を示し、（ｂ）は外側連結材を内側連結材に外側から嵌合し正面側下方へ移動中の状態を示し、（ｃ）は外側連結材を内側連結材に深く嵌合した状態を示す斜視図である。
【図７】上記実施例において、左右の壁パネルを連結する作業手順を説明する平面図であり、（ａ）は左右の壁パネルの互いの起立部を当接し、内側連結材を配置した状態を示し、（ｂ）は突起部を溝部の上端部の開口に挿入した状態を示し、（ｃ）は外側連結材を内側連結材に最終的に嵌合した状態を示す平面図である。
【図８】従来の連結される二枚の壁パネルを隣接配置した状態を示し、（ａ）は背面側から見た図であり、（ｂ）は背面側から見た斜視図を示す。
【図９】従来の接続構造を示す図であり、（ａ）は縦桟を背面側から見た図であり、（ｂ）は連結材を正面側から見た斜視図であり、（ｃ）は接続構造の平面図を示している。
【発明を実施するための形態】
【００１６】
本発明に係る浴室用の壁パネルの接続構造を実施するための形態を実施例に基づき図面を参照して、以下説明する。
【実施例】
【００１７】
本発明に係る浴室用の壁パネルの接続構造の実施例を説明する。本明細書では、壁パネルは、浴室ユニットの壁を構成する壁パネルである。壁パネルを設置する浴室ユニット１の床は、床パンまたはそれに類する壁積載部材であり、この実施例では、床パンまたはそれに類する壁積載部材として、図１に示すように、浴槽床２と洗い場床３から成る床４とする。
【００１８】
本明細書では、壁パネルおよび連結材等について、浴室内側を正面側とも言い、浴室外側を背面側とも言う。また、本明細書における左右については、浴室内側（正面側）から見て、左右側をそれぞれ左右側と言う。
【００１９】
この実施例では、浴室ユニット１の床４の上に、図１に示すように、互いに直線的に横並びされて隣接する第１の壁パネル５と第２の壁パネル６が連結されて設置され、さらに、例えば、第１の壁パネル５に対して直角にコーナー部を介して第３の壁パネル７が連結されて設置される。
【００２０】
図２（ａ）、（ｂ）は、互いに横並びで直線的に連結される第１の壁パネル５と第２の壁パネル６が、互いに連結される側端部が対面するように、隣接して並べた状態を示している。第１の壁パネル５と第２の壁パネル６は、図２（ｂ）に示すように、それぞれその側端部において、浴室外側に直角に折り曲げられた起立部８が形成されている。
【００２１】
起立部８の先端側には、鋭角で折り返された折り返し部９が形成されており、さらに折り返し部９の先端側には起立部８側に折り返された連結材当接部１０が形成されており、図２（ｂ）に示すように、折り返し部９と連結材当接部１０は、全体としてレ字型に形成されている。
【００２２】
図２（ｂ）に示すように、第１の壁パネル５の起立部８と第２の壁パネル６の起立部８のいずれかまたは両方の内面に、壁モールに較べて構造が簡単な止水パッキン１２を装着しておけば、第１の壁パネル５と第２の壁パネル６を連結した際に、図７（ｃ）に示すように、両起立部８の間に止水パッキン１２が挟持されて止水性を向上させることが可能となる。
【００２３】
第１の壁パネル５と第２の壁パネル６は、図６、図７（ｂ）、（ｃ）に示すような連結材１１が背面に嵌合されて連結される。連結材１１は、図６（ａ）〜（ｃ）に示すように、二つの連結材２２、３１から構成される。二つの連結材２２、３１は、浴室内外に方向に重ねて設けられるが、一方の連結材２２は、図３（ａ）〜（ｃ）に示すように、左右の突起部２３が設けられており、本明細書では外側連結材２２と言う。
【００２４】
外側連結材２２は、図３（ａ）〜（ｃ）に示すように、背部２６と左右の側部２７から成り、水平断面がコの字型に形成されている。外側連結材２２の左右の側部２７には、それぞれ突起部２３が互いに左右対称となるように固定されている。外側連結材２２は、左右の側部２７の正面側の端部に、後記する内側連結材３１の拡張部３９を内側（左右中心側）に押圧する押圧部２８を備えている。図３は外側連結材２２の上部を記載しているが、外側連結材２２の下部にも同様の突起部が左右対称に設けられている。
【００２５】
左右の突起部２３は、図３（ａ）、（ｂ）、（ｄ）、図５（ａ）〜（ｄ）に示すように、それぞれ小径部２４と大径部２５から成る。左右の突起部２３は、それぞれ大径部２５が外側連結材２２の側部２７の内側に位置し、小径部２４が外側連結材２２の側部２７の内側から外側に突出するように配置されており、小径部２４が左右の側部２７に固定されている。
【００２６】
他方の連結材３１は、図４（ａ）〜（ｃ）、図５（ａ）〜（ｄ）に示すように、突起部２３が嵌合する溝部３２が形成されており、本明細書では内側連結材３１と言う。内側連結材３１は、水平断面は図４（ｃ）に示すような形状をしており、背部３７と左右の側部３８を備えている。
【００２７】
左右の側部３８は、それぞれその正面側には、外側に向けて曲げられた拡張部３９が形成されており、拡張部３９の先端側から内側に折り曲げられた正面部４５が形成されており、さらに正面部４５から鋭角で折り曲げられた壁当接部４６が形成されている。
【００２８】
要するに内側連結材３１は、全体的に見ると、その内側端部（正面側における左右中心側の端部）には、第１の壁パネル５と第２の壁パネル６に当接する左右の壁当接部４６が形成されている。                      
【００２９】
内側連結材３１は、図７（ｂ）、（ｃ）に示すように、背面側から外側連結材２２が嵌合可能な断面寸法に形成されている。即ち、内側連結材３１の背部３７の横幅は、外側連結材２２の背部２６の横幅より、若干小さく形成されている。
【００３０】
図４（ａ）、（ｂ）に示すように、背部３７の左右側端部から左右の側部３８にわたって、それぞれ溝部３２が形成されている。溝部３２は、全体的には浴室内側（正面側）に向かうほど下方に向かう斜め溝部として形成されている。図４は内側連結材３１の上部を記載しているが、内側連結材３１の下部にも同様の斜め溝部が設けられている。
【００３１】
図４（ａ）、（ｂ）に示すように、背部３７の左右側端部に、溝部３２の上端の開口４０が形成されており、この開口４０から正面側の斜め下方に向けて溝幅が狭くなり、溝部３２の閉止端部側に細溝部３３が形成されている。
【００３２】
背部３７の開口４０の上下方向の寸法Ｗ１は、図５（ｂ）に示すように、突起部２３の大径部２５の直径Ｄ１より大きく形成されており、側部３８に形成された細溝部３３の幅Ｗ２は、図５（ｄ）に示すように、突起部２３の大径部２５の直径Ｄ１より小さくかつ小径部２４の直径Ｄ２より大きく形成されている。
【００３３】
このような構成とすることで、外側連結材２２を内側連結材３１に背面側から嵌合する際に、図５（ｂ）に示すように、突起部２３の大径部２５は細溝部３３の開口４０を通過可能となり、嵌合後は溝部３２から外れない。また、図５（ｃ）、（ｄ）に示すように、小径部２４は細溝部３３内に嵌合し、移動可能となる。
【００３４】
（作用）
以上の構成から成る連結材１１によって、第１の壁パネル５と第２の壁パネル６を、横並びで直線的に連結する（平継ぎという）作業手順と本発明の壁パネルの接続構造について、以下さらに説明する。
【００３５】
まず、第１の壁パネル５と第２の壁パネル６を、それぞれ起立部８を、図２（ａ）、（ｂ）に示すように、互いに対面した状態で浴室パン等の床４上に配置する。
【００３６】
そして、図７（ａ）に示すように、内側連結材３１の左右の壁当接部４６を、それらの間に第１の壁パネル５と第２の壁パネル６の起立部８、折り返し部９および連結材当接部１０が位置するように、配置する。この状態では、内側連結材３１の左右の正面部４５は、第１の壁パネル５と第２の壁パネル６の裏面に当接した状態となる。
【００３７】
次に、外側連結材２２を、図５（ａ）、図６（ａ）に示すように、内側連結材３１に背面側から近づけ、図７（ｂ）に示すように、左右の突起部２３の大径部２５を、それぞれ内側連結材３１の背部３７の左右の開口４０から内側連結材３１内に挿入し、左右の突起部２３の小径部２４を、それぞれ内側連結材３１の溝部３２に挿入する。
【００３８】
そして、図６（ｂ）に示すように、外側連結材２２を上方から木槌等で叩くと、左右の突起部２３の小径部２４はそれぞれ細溝部３３内で、また左右の突起部２３の大径部２５はそれぞれ内側連結材３１の左右の側部３８の内面に沿って、正面側（浴室内側）かつ斜め下方に向けて移動し、この移動に伴い外側連結材２２は、図６（ｃ）に示すように、内側連結材３１に対してより深く嵌合して内側連結材３１の背部３７に近づく。          
【００３９】
さらに、外側連結材２２を上方から木槌等で叩くと、外側連結材２２は正面側に移動し、外側連結材２２の左右の押圧部２８は、それぞれ内側連結材３１における左右の拡張部３９を内側方向（左右の拡張部３９が互いに近づく方向）に押し、左右の壁当接部４６は、左右の連結材当接部１０を互いに近づくように寄せる。
【００４０】
このために、第１の壁パネル５と第２の壁パネル６は、互いに近づくように移動し、図６（ｃ）、図７（ｃ）に示すように、左右の起立部８を互いに押し合うにして密着させた状態で、第１の壁パネル５と第２の壁パネル６を連結する。
【００４１】
この浴室用の壁パネルの接続構造では、外側連結材２２は、その自重により、常時、溝部３２内の突起部２３が細溝部３３に沿って正面側（浴室の内側）かつ斜め下方に付勢されている。このために、外側連結材２２は、内側連結材３１側に向けて常時付勢される。
【００４２】
そのため、外側連結材２２の左右の側部２７は、内側連結材３１の左右の拡張部３９を互いに近づく方向に寄せ合い、左右の壁当接部４６は、常時、左右の連結材当接部１０を互いに近づくように付勢しているので、第１の壁パネル５と第２の壁パネル６の連結の強度が高められた状態で安定して保持され、解除されにくい。
【００４３】
そして、第１の壁パネル５の起立部８と第２の壁パネル６の起立部８が、互いに止水パッキン１２を介して密着する。そのために、従来技術のように壁モールを設けなくても止水効果が生じる。また、第１の壁パネル５の起立部８と第２の壁パネル６の起立部８の隙間が小さくなって目立たないので、自然に繋がっているようになり、意匠性が向上する。
【００４４】
以上、本発明に係る浴室用の壁パネルの接続構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
本発明に係る浴室用の壁パネルの接続構造は上記のような構成であるから、浴室の壁パネル、その他、止水性、密封性を要する壁パネルの接続構造にも適用可能である。
【符号の説明】
【００４６】
１  浴室ユニット                       
２  浴槽床                             
３  洗い場床                           
４  床                                 
５  第１の壁パネル                     
６  第２の壁パネル                     
７  第３の壁パネル                     
８  起立部                             
９  折り返し部                         
１０  連結材当接部                           
１１  連結材
１２  止水パッキン                             
２２  外側連結材                   
２３  突起部                           
２４  小径部                           
２５  大径部                           
２６  外側連結材の背部             
２７  外側連結材の側部             
２８  外側連結材の押圧部               
３１  内側連結材                     
３２  溝部 
３３  細溝部                            
３７  内側連結材の背部               
３８  内側連結材の側部               
３９  内側連結材の拡張部             
４０  溝部上端の開口                   
４５  正面部                           
４６  壁当接部 
５０、５１  壁パネル
５２  連結材
５６  縦桟
５７  太幅部
５８  細幅部
５９  スリット
６３  大径部
６４  突起
６５  壁モール                      
【図１】
2019078117.tif 000003
【図２】
2019078117.tif 000004
【図３】
2019078117.tif 000005
【図４】
2019078117.tif 000006
【図５】
2019078117.tif 000007
【図６】
2019078117.tif 000008
【図７】
2019078117.tif 000009
【図８】
2019078117.tif 000010
【図９】
2019078117.tif 000011